(57)【要約】  【課題】従来の墓構造に比べ、大幅に耐震強度を高め、強固な墓構造とすることができ、且つ、製造コストの低価格化はもちろんのこと、美観を損ねることなく築造することができ、さらには既設の墓に対しても容易に耐震強度を高めることを可能とする耐震墓構造を提供する。  【課題を解決するための手段】墓の基礎石である底板と、四方を壁面で囲われ、正面に扉を有する納骨室と、納骨室を覆う切妻式の屋根と、納骨室の正面前方に突き出た庇と、庇を支える柱及び台座と、からなる家形墓において、納骨室の内側又は／及び外側の各隅角部に柱状の耐震部材が設けられ、耐震部材と壁面とが接着剤によって接合されていることを特徴とする耐震墓構造。【選択図】  図４
2008266986.tif 000002
【特許請求の範囲】
【請求項１】
墓の基礎石である底板と、
四方を壁面で囲われ、正面に扉を有する納骨室と、
納骨室を覆う切妻式の屋根と、
納骨室の正面前方に突き出た庇と、
庇を支える柱及び台座と、
からなる家形墓において、
納骨室の内側又は／及び外側の各隅角部に柱状の耐震部材が設けられ、
耐震部材と壁面とが接着剤によって接合されている
ことを特徴とする耐震墓構造。
【請求項２】
前記の耐震部材は、
剛性部材を挿通するための孔が設けられ、
孔に挿通した剛性部材を壁面に設けた孔に挿着して、壁面と耐震部材とが固定されている
ことを特徴とする請求項１に記載の耐震墓構造。
【請求項３】
前記の庇を支える柱、台座のいずれか一方又は両方に、
内部に１以上の剛性部材が挿通されている
ことを特徴とする請求項１または請求項２に記載の耐震墓構造。
【請求項４】
前記の底板の下に
衝撃吸収手段を設けた
ことを特徴とする請求項１から請求項３までのいずれかの項に記載の耐震墓構造。
【請求項５】
墓の基礎石である底板と、
四方を壁面で囲われ、正面に扉を有する納骨室と、
納骨室を覆う切妻式の屋根と、
納骨室の正面前方に突き出た庇と、
庇を支える柱及び台座と、
からなる家形墓の耐震性を高める工法において、
底板の下に、衝撃吸収手段を設ける工程と、
底板の上に、４方を壁面で囲われ、正面に扉を有する納骨室を設ける工程と、
納骨室の内側又は／及び外側の各隅角部に、耐震部材を設ける工程と、
耐震部材に、壁面から突出する剛性部材を挿通するための孔を設け、孔に挿通した剛性部材により壁面と耐震部材とを固定する工程と、
納骨室に切妻式の屋根を被せる工程と、
庇を支える柱、台座のいずれか一方又は両方の内部に１以上の剛性部材を挿通し、台座及び柱を載置し、その上に庇を設ける工程と、
からなることを特徴とする耐震墓工法。
【発明の詳細な説明】
【技術分野】
【０００１】
本発明は、沖縄地方に広く普及している家形破風墓などの屋根を有する家形の墓構造に関し、特に、耐震強度の高めた墓構造に関する。
【背景技術】
【０００２】
沖縄地方の墓様式は、全国的に見ても他の地方のものと比べて独特の様式となっており、特に亀甲墓や破風墓などが多く知られている。
【０００３】
これらの沖縄地方の独特の様式の墓は、古くは、琉球石灰岩やサンゴ石灰岩等を用いて築造されているものが多かったが、近年の消費者は、より強固で永年に亘って残存する墓を求める傾向が強く、コンクリート造りや御影石などの自然石（天然石）によるブロック造りの墓が多くなってきている。
【０００４】
しかし、自然石の中でも特に御影石の耐用年数は、半永久的であると言われているのに対し、コンクリートは吸湿性が高いため、藻が生えて変色したり、雑草が生えて根がひび割れに食い込むなど、その寿命は８０年程度と言われている。
【０００５】
また、沖縄地方は、他の地方と比べて地震が少ないという認識が広く定着しており、実際に最近の約９０年間で一度も震度５以上の揺れに見舞われていないため、墓の構造についても、耐震性よりも、むしろ台風などによる雨水の浸入を防ぐことを重視した造りの墓が多い。
【０００６】
例えば、家形破風墓などの屋根を有する家形の墓構造に関し、雨水の侵入個所である石材の接合部分において、確実に雨水侵入を防止でき、かつ、その接合部分の強度を高めた構造として雨水の侵入原因となるひび割れを防止できる墓構造として、下記特許文献１が開示されている。
【０００７】
この発明は、納骨室を有する家形墓において、正面壁の壁面ブロックとひさし部とを一体的に形成し、棟押えを長手方向に連続する扇状断面の溝を形成した円柱状にし、石材製屋根板材同士の接合部分の先端を階段状に切り欠き、該階段部を各々勝手反対に組み合わせ、該切り欠かれた階段部の重ね合せ面は、屋根板の上下面に対して先端側が高くなるように傾斜させて接合し、壁面を構成する石材ブロックにおいて、該石材ブロックの上部側の端面に長手方向に連続する凸状の突起を設け、下部側の端面は、前記突起に嵌め合うように、長手方向に凹状の溝を設けたものである。
【０００８】
これによれば、雨水の侵入個所である石材の接合部分において、確実に雨水侵入を防止でき、かつ、その接合部分の強度を高めた構造として雨水の侵入原因となるひび割れを防止できる。
【０００９】
また、墓石などの耐震性を高める石組み構造体として、下記特許文献２が開示されている。
【００１０】
この発明は、石材同士又は石材と他の物体を接合した石組み構造体であって、前記石材同士又は石材と他の物体とを凹凸面により互いにはめ込み、前記凹凸面のいずれかの個所であって、かつ接合面に実質的に垂直方向に孔を設けてこの中に金属ピンを埋め込み、前記接合面の隙間に防水性充填材を充填したものである。
【００１１】
これによれば、石材同士又は石材と他の物体とを凹凸面により互いにはめ込むことにより強度は向上し、さらに接合面に実質的に垂直方向に孔を設けてこの中に金属ピンを埋め込むことにより、相乗的に強度を向上させることができる。
【００１２】
また、この構造により、横揺れにも縦揺れにも強い耐震構造の石組み構造体とすることができる。
【特許文献１】特開２００２−２１３７３号公報
【特許文献２】特開２００５−２０７１９３号公報
【発明の開示】
【発明が解決しようとする課題】
【００１３】
近年は、沖縄地方でも地震に対する警戒が高まっており、建築物だけでなく、墓構造においても耐震性の向上は消費者から強く求められている。
【００１４】
しかしながら、上記特許文献１に記載の発明は、石材の接合部分において雨水の侵入を防止することを最大の目的とし、同時に、接合部分の強度を高めることができるという目的を副次的に達成することができるに過ぎない。
【００１５】
それゆえに、ブロック造りのように製造コストの低価格化を目的とした部材を組み立てて接合し建立する墓構造において、各部材の接合箇所にかかる負荷が大きいため、地震などによる大きな揺れに耐え得る強度を得ることまでは到底望め得ない。
【００１６】
また、上記特許文献２に記載の発明は、石材同士又は石材と他の物体とを凹凸面により互いにはめ込み、さらにこの接合面に垂直方向に孔を設けて金属ピンを埋め込むことにより、相乗的に強度を向上させるものであるが、金属ピン部分の酸化・劣化により物理的強度が低下し、強度の信頼性や耐久性に欠けることや、石材は木材と異なり、揺れによる歪みの負荷を逃がすことができないので、凹凸部や金属ピンが折れたり外れるなどして、本来の役目を果たさないことがあり耐震構造としては不安が残る。
【００１７】
そこで、本発明は、上述の問題点に鑑みてなされたものであり、その目的は、従来の墓構造に比べ、大幅に耐震強度を高め、強固な墓構造とすることができ、且つ、製造コストの低価格化はもちろんのこと、美観を損ねることなく築造することができ、さらには既設の墓に対しても容易に耐震強度を高めることを可能とする耐震墓構造を提供することにある。
【課題を解決するための手段】
【００１８】
上記課題を解決するため、本発明においては、次の技術的手段を講じている。
【００１９】
本発明の請求項１は、
墓の基礎石である底板と、
四方を壁面で囲われ、正面に扉を有する納骨室と、
納骨室を覆う切妻式の屋根と、
納骨室の正面前方に突き出た庇と、
庇を支える柱及び台座と、
からなる家形墓において、
納骨室の内側又は／及び外側の各隅角部に柱状の耐震部材が設けられ、
耐震部材と壁面とが接着剤によって接合されている
ことを特徴とする。
【００２０】
納骨室の内側の各隅角部とは、
納骨室を囲う４辺の壁面がそれぞれ隣接する壁面と接合する隅角部であって、納骨室の内側の４つの隅角部を意味する。
納骨室の外側の各隅角部とは、
納骨室を囲う４辺の壁面がそれぞれ隣接する壁面と接合する隅角部であって、納骨室の内側の４つの隅角部を意味する。
【００２１】
柱状とは、平面断面が円柱や多角柱の他、円錐台や多角台、円柱や多角柱に円錐台や多角台を加えた形状も含まれることを意味する。
柱の上端と下端は、径の長さや断面積が同一である必要はない。
多角柱とは、平面断面が３以上の角を有する多角形の柱を意味する。
【００２２】
耐震部材とは、柱状に形成された耐震性を有する各種の部材を意味する。
例えば、木材、石材、コンクリート材、ガラス材、セラミック材、金属材などが挙げられるが、これらが単一の部材でも、複数組み合わされた部材でも、いずれでも良い。
【００２３】
耐震部材を納骨室内外の各隅角部に設けることで、納骨室の耐震性を高めることができる。
この耐震部材は、納骨室の内側または外側のいずれか一方のみの各隅角部に設けても良いし、納骨室の内側及び外側の両方の各隅角部に設けても良い。
【００２４】
特に、納骨室の外側に耐震部材を設けるのは、既に建立されている家形墓を補強したい時に効果がある。
すなわち、既に建立されている家形墓は、納骨室の上に屋根を強固に固定した状態で覆ってあるため、納骨室の内側の各隅角部に耐震部材を接合する作業が困難な場合がある。
そこで、耐震部材を納骨室の内側に設けるのではなく、納骨室の外側に耐震部材を設けて耐震性を高めることができるようにすることで、既設の家形墓に対しても、容易に補強工事を容易に行うことができるのである。
【００２５】
耐震部材と壁面とを接合する接着剤とは、壁面と耐震部材とを接着する接合面に付着させるものであり、建築石材用の主剤と硬化剤とを混ぜる二液性の接着剤などが挙げられる。
例えば、シリコーンゴム等で改質したエポキシ樹脂系接着剤が特に有効であるが、弾力性接着剤によっても良い。
接着剤は、石板・耐震部材の材質等を考慮して、適宜選択使用されてよく、例えば、株式会社アルファ技研製のＡＬＴＥＣＯ（商標名、瞬間接着剤）や、コニシ株式会社製のストンコークＲ（商標名、石材用弾力性接着剤）やボンド等を例示できる。
【００２６】
耐震部材を壁面と接着剤によって接合することで、接合部が補強され、耐震部材を接合しない場合に比べて耐震性が格段に高まる。
耐震部材と壁面との接合を接着剤によって行う場合、接着面積が十分とれないために接着力を十分得られないことがある。
そこで、耐震部材を断面がＬ字型や三角形等の形状にすることで、壁面との接着面積を十分確保して、接着力を得ることができるようにする。
【００２７】
また、耐震部材と壁面との接合面に前記の衝撃吸収手段を設けても良い。
接着力を高めるとともに、地震などの揺れに対して耐震部材と壁面との摩擦やズレを緩衝することで損壊・倒壊を防ぎ、より耐震性を高めることができる。
【００２８】
本発明の請求項２は、
前記の耐震部材は、
剛性部材を挿通するための孔が設けられ、
孔に挿通した剛性部材を壁面に設けた孔に挿着して、壁面と耐震部材とが固定されている
ことを特徴とする。
【００２９】
剛性部材は、ピン状の形状のもので、石材、コンクリート材、ガラス材、セラミック材、金属材などが挙げられるが、これらが単一の部材でも、複数組み合わされた部材でも、いずれでも良い。
金属材は、例えば錆に強いステンレス製を使用することで錆による劣化を防ぐことができる。
【００３０】
剛性部材は、孔に接着剤を充填した後に挿通させて、壁面と耐震部材とを固着させて、固定する。
剛性部材の周囲には、前記の吸震材を設けても良い。
これにより、剛性部材により、石材を損傷させることがなく、また震動を吸震材で吸収して揺れを減衰させることで、より地震に強い構造とすることができる。
【００３１】
孔は、耐震部材と壁面のいずれかを貫通孔として剛性部材を挿通させてもよく、耐震部材と壁面の両方に貫通孔を設けて剛性部材を挿通させても良い。
これは、耐震部材を納骨室の内側、外側のいずれに設けた場合でも同様である。
特に、耐震部材を納骨室の外側に設ける場合は、外観上の問題として、剛性部材を挿通した孔が見えないようにすることが望ましい場合もあることによるものである。
【００３２】
本発明の請求項３は、
前記の庇を支える柱、台座のいずれか一方又は両方に、
内部に１以上の剛性部材が挿通されている
ことを特徴とする。
【００３３】
庇を支える柱とは、納骨室の正面前方に突き出た庇を支える柱であって、左右の２本の柱からなる。
台座とは、庇を支える柱の土台となるものである。
柱、台座のいずれか一方のみ、または柱及び台座の両方の内部に、１以上の剛性部材を挿通する。
【００３４】
剛性部材は、ピン状の形状のもので、石材、コンクリート材、ガラス材、セラミック材、金属材などが挙げられるが、これらが単一の部材でも、複数組み合わされた部材でも、いずれでも良い。
金属材は、例えば錆に強いステンレス製を使用することで錆による劣化を防ぐことができる。
【００３５】
剛性部材は、孔に接着剤を充填した後に挿通させて固着させる。
【００３６】
剛性部材の周囲は、前記の吸震材を設けても良い。
これにより、剛性部材により、石材を損傷させることがなく、また震動を吸震材で吸収して揺れを減衰させることで、より地震に強い構造とすることができる。
【００３７】
屋根を有する家形の破風墓は、古くは、琉球王家しか造ることが許されなかったものであり、豪華で荘厳な造りであった。
現在は広く一般にも普及しているが、その豪華な造りは庇の部分にも表され、重厚な造りになることも珍しくない。
しかし、庇の部分は、柱と台座とによって支える造りとなっているため、近年のブロック造りによる構造では、耐震性に不安がある。
そこで、庇を支える柱又は台座のみ、または柱及び台座の内部に１以上の剛性部材を挿通することによって、耐震性を高め、より強固な造りにすることが可能となる。
【００３８】
この剛性部材は、柱と台座の内部に挿通するのみでなく、庇や底板にも挿通させるようにしても良い。
これにより、庇、柱、台座、底板の全てに剛性部材を挿通させ、より強固な構造にすることができる。
さらに、基礎コンクリートに挿通させる構造にしても良い。
【００３９】
本発明の請求項４は、
前記の底板の下に
衝撃吸収手段を設けた
ことを特徴とする。
【００４０】
底板は、墓全体の土台となる石材であり、基礎コンクリートの上に当接して設置するものである。
基礎コンクリートの内部には、鉄骨や鉄筋などが埋め込まれる場合が多いが、この鉄骨や鉄筋等を基礎コンクリートから突出させて、底板に挿通させるようにしても良い。
【００４１】
衝撃吸収手段は、基礎コンクリートと底板との間に設ける。
衝撃吸収手段は、通常の建築用、建設用、その他の免震構造における緩衝材と共通する材料を採用できる。
【００４２】
具体的には、地震による大きな震動が加わったときに主に、弾性変形によって震動を吸収するものよりも、塑性変形を起こして震動を吸収するものが望ましい。
小さな震動であれば、弾性変形によって震動を吸収するものが望ましい。
このような変形特性を有する材料として、ゴム、バネ、合成樹脂などの弾性吸震材が採用できる。
【００４３】
例えばバネの場合、コイル状に巻回されたバネの軸方向を、基礎コンクリートに対して直交する方向に配置することで、軸方向に対する免震機能が良好になる。
ゴムの場合、筒状や蛇腹状に成形したものを用いて、その軸方向を基礎コンクリートと直交するように配置することもできる。
また、平板状に成形したものを用いて、敷設するように配置することもできる。
【００４４】
配置箇所は、底板全体に配置しても良いし、例えば各隅角部に配置したり、任意の箇所に数箇所配置するのみでも良い。
これらの吸震材は、同じ形状や材料、吸震特性の異なる複数の吸震材を組み合わせて構成することもできる。
【００４５】
吸震材は、基礎コンクリート及び石材とは、接着剤によって接着固定しても良いし、ボルト等で締着して固定しても良い。
地震で基礎が揺れても、震動を衝撃吸収手段で吸収して揺れを減衰させることで、墓にかかる震動を小さくし、地震に強い構造とすることができる。
【００４６】
本発明の請求項５は、
墓の基礎石である底板と、
四方を壁面で囲われ、正面に扉を有する納骨室と、
納骨室を覆う切妻式の屋根と、
納骨室の正面前方に突き出た庇と、
庇を支える柱及び台座と、
からなる家形墓の耐震性を高める工法において、
底板の下に、衝撃吸収手段を設ける工程と、
底板の上に、４方を壁面で囲われ、正面に扉を有する納骨室を設ける工程と、
納骨室の内側又は／及び外側の各隅角部に、耐震部材を設ける工程と、
耐震部材に、壁面から突出する剛性部材を挿通するための孔を設け、孔に挿通した剛性部材により壁面と耐震部材とを固定する工程と、
納骨室に切妻式の屋根を被せる工程と、
庇を支える柱、台座のいずれか一方又は両方の内部に１以上の剛性部材を挿通し、台座及び柱を載置し、その上に庇を設ける工程と、
からなることを特徴とする。
【００４７】
底板の下に、衝撃吸収手段を設ける工程は、
基礎コンクリートと底板との間に衝撃吸収手段を設けるものである。
衝撃吸収手段は、前記のように通常の建築用、建設用、その他の免震構造における緩衝材と共通する材料を採用できる。
【００４８】
底板の上に、四方を壁面で囲われ、正面に扉を有する納骨室を設ける工程は、
衝撃吸収手段を設けた底板の上に、納骨室を設けるものである。
納骨室は四方を壁面で囲い、正面に扉を設けることによって造られる。
【００４９】
納骨室の内側又は／及び外側の各隅角部に、耐震部材を設ける工程は、
納骨室の内側、外側のいずれか一方、または両方の各隅角部に、納骨室の壁面と耐震部材とを接合するものである。
【００５０】
耐震部材に、壁面から突出する剛性部材を挿通するための孔を設け、孔に挿通した剛性部材により壁面と耐震部材とを固定する工程は、
耐震部材に孔を設け、この孔に剛性部材を挿通させ、挿通させた剛性部材を壁面に設けた孔に挿着させることによって、壁面と剛性部材とを固定するものである。
【００５１】
納骨室に切妻式の屋根を被せる工程は、
四方を壁面で囲われ、納骨室の内側、外側のいずれか一方、または両方に耐震部材を固定した納骨室の上に、妻切式の屋根を被せるものである。
【００５２】
庇を支える柱、台座のいずれか一方又は両方の内部に１以上の剛性部材を挿通し、台座及び柱を載置し、その上に庇を設ける工程は、
柱、台座のいずれか一方又は両方の内部に剛性部材を挿通する挿通孔を１以上設け、これに剛性部材を挿通して載置し、その上に庇を設けるものである。
以上の工程によって耐震性に優れた墓を提供することができる。
【発明の効果】
【００５３】
本発明では以下のような効果がある。
【００５４】
１）納骨室の構造を耐震性に優れた強固な造りにし、また墓の美観を損ねずに壁面の外側から耐震性に優れた強固な造りにすることができ、既設の墓に対しても施工することが可能な墓を提供することができる。
【００５５】
２）耐震部材の接合を剛性部材によって固定して補強することで、より強固な構造にすることができ、耐震性の向上を図ることができる。
【００５６】
３）庇を支える柱と台座の倒壊を防ぐ強固な造りにすることで、耐震性の向上を図ることができる。
【００５７】
４）地震時における衝撃的な荷重を吸収して、墓にかかる震動を減衰させ、耐震性の向上を図ることができる。
【００５８】
５）耐震性に優れた墓の工法を提供することができる。
【発明を実施するための最良の形態】
【００５９】
以下、本発明の実施形態について図を用いて説明する。
【００６０】
図１は本発明に係る耐震墓構造の一実施例を示す正面図であり、図２（１）は本発明に係る耐震墓構造の一実施例を示す左側面図、図２（２）は図２（１）のＡ−Ａ線矢視図である。
【００６１】
図３、４は、本発明に係る耐震墓構造の納骨室の内側に耐震部材を設け、剛性部材を挿通した状態の一実施例の左側面、背面をそれぞれ示す図である。
【００６２】
図５は、本発明に係る耐震墓構造の納骨室の内側に耐震部材を設け、剛性部材を挿通した一実施例を示す平面断面図である。
【００６３】
基礎コンクリート１の上に、衝撃吸収手段として、吸震材２を敷設した。
吸震材２は、合成ゴムを使用した。
合成ゴムの厚さは２ｃｍとした。
【００６４】
吸震材２は、基礎コンクリート１の上の墓の隅角部に当たる４箇所に敷設した。
吸震材２は、基礎コンクリート１とは接着剤によって接着固定した。
【００６５】
底板３は、吸震材２の上に載置し、吸震材２とは接着剤によって接着固定した。
底板３には、壁面４、台座５、袖石６、耐震部材７のそれぞれに挿着させるための剛性部材８を、各適所に穿設した孔に埋め込んで接着剤によって固着した。
【００６６】
本実施例における剛性部材８は、ステンレス製の直径１２ｍｍの金属ピン８ａを使用した。
【００６７】
耐震部材７は、断面がＬ字型の形状の石材を使用した。
耐震部材７は、納骨室の内側の４つの隅角部に設置した。
耐震部材７は、前記の底板３から突出するように設けた金属ピン８ａを、予め穿設した孔に挿通させるように底板３の上に載置して固定した。
耐震部材７と底板３とは、接合面に接着剤を付着させて接合した。
【００６８】
本実施例における接着剤は、全て二液性のエポキシ樹脂系接着剤を使用した。
【００６９】
壁面４は、金属ピン８ａを埋め込む孔を設け、孔に接着剤を充填して金属ピン８ａを埋め込み、金属ピン８ａを固着した。
耐震部材７は、前記の壁面４に埋め込んだ金属ピン８ａを、予め穿設した孔に挿通させるようにして壁面４と固定した。
壁面４と耐震部材７とは、接合面に接着剤を付着させて接合した。
各石材の接合箇所には、適宜筋交いを入れた。
【００７０】
さらに、第二の実施例では、耐震部材７を納骨室の外側の４つの隅角部にも設置した。
図６は、本発明に係る耐震墓構造の納骨室の内側、外側の両方に耐震部材を設け、剛性部材を挿通した一実施例を示す平面断面図である。
【００７１】
耐震部材７は、断面がＬ字型の形状の石材を使用した。
耐震部材７は、底板３から突出した金属ピン８ａを、予め穿設した孔に挿通させるように底板３の上に載置して固定した。
前記と同様に、納骨室の外側に設けた耐震部材７に金属ピン８ａを挿通させ、壁面４に穿設した孔に金属ピン８ａを埋め込み、孔に接着剤を充填して金属ピン８ａを固着させて、剛性部材８と壁面４とを固定した。
壁面４と耐震部材７とは、接合面に接着剤を付着させて接合した。
【００７２】
納骨室を覆う屋根９にも、耐震部材７に挿通させる金属ピン８ａを突出するように埋め込み、耐震部材７とを固定した。
【００７３】
納骨室の正面前方突き出た庇１０を支える柱１１と台座５には、内部に１本の剛性部材８を挿通した。
柱１１と台座５に挿通させる剛性部材８は、ステンレス製の直径３０ｍｍの金属棒８ｂを使用した。
挿通させる孔には、予め接着剤を充填し、金属棒８ｂを固着させた。
【００７４】
墓の各接合面の隙間には、防水性の充填材として、コーキング材を充填した。
コーキング材は、防水性能を付与するために用いられ、例えば、ガスケット、シーラント等が挙げられる。
また、防水性の高い、例えばフッ素樹脂系、シリコーン樹脂系、シリコーンゴム系、アクリル樹脂系、ウレタン樹脂系等の樹脂系コーキング材を使用できる。
接合面の間隙には、スペーサーを介在させることが好ましい。
スペーサーとしては、充填材の充填に必要な間隔を開けるための大きさのものであればどのようなものでも良い。
スペーサーを介在させない場合は、石材の接合面に充填材の充填に必要な間隔を開けるために必要な凹凸を形成しても良い。
防水性充填材としては、石材用ボンドとして一般的に使用されているものであればどのようなものでも良く、例えばシリコーン樹脂系、シリコーンゴム系、アクリル樹脂系、ウレタン樹脂系等の樹脂系充填材、セメント等の無機系充填材、前記樹脂にシリカ粒子、アルミナ粒子等のフィラーを加えた充填材等を使用することができる。
好ましくは室温硬化型シリコーンゴム（ Ｒ Ｔ Ｖ シリコーンゴム） である。
石材間の接着性と防水性に優れ、かつ耐熱性、耐寒性、耐久性にも優れる一液タイプのものが良い。
シリコーンゴムは震動にも強く、ひび割れなどしにくいため、耐震性をより高めることができる。
【００７５】
納骨室の側面の壁面４の上部には、通気孔１２を設けた。
通気孔１２は、直径６０〜９０mmの孔径で、外側切欠部には多孔の目皿を突設した。
通気孔１２は、納骨室の側面に限られず、背面などに設けることや、壁面４の上部に限らず下部に設けても良い。
また、多孔の目皿ではなく、ファンを設けても良い。
【図面の簡単な説明】
【００７６】
【図１】本発明に係る耐震墓構造の一実施例を示す正面図である。
【図２】本発明に係る耐震墓構造の一実施例を示す左側面図、Ａ−Ａ線矢視図である。
【図３】本発明に係る耐震墓構造の納骨室の内側にのみ耐震部材を設け、剛性部材を挿通した状態の一実施例を示す左側面図である。
【図４】本発明に係る耐震墓構造の納骨室の内側にのみ耐震部材を設け、剛性部材を挿通した状態の一実施例を示す背面図である。
【図５】本発明に係る耐震墓構造の納骨室の内側にのみ耐震部材を設け、剛性部材を挿通した一実施例を示す断面平面図である。
【図６】本発明に係る耐震墓構造の納骨室の内側、外側の両方に耐震部材を設け、剛性部材を挿通した一実施例を示す断面平面図である。
【符号の説明】
【００７７】
１    基礎コンクリート
２    吸震材
３    底板
４    壁面
５    台座
６    袖石
７    耐震部材
８    剛性部材
８ａ  金属ピン
８ｂ  金属棒
９    屋根
１０  庇
１１  柱
１２  通気孔
【図１】
2008266986.tif 000003
【図２】
2008266986.tif 000004
【図３】
2008266986.tif 000005
【図４】
2008266986.tif 000006
【図５】
2008266986.tif 000007
【図６】
2008266986.tif 000008